(57)【特許請求の範囲】
【請求項１】
スピーカと、
レンズを備えた可動筒と、
前記可動筒に設けられたカムピンと係合し前記可動筒を駆動するカム溝が内周面に形成された固定筒と、
前記固定筒が取り付け可能な外装部と、を有し、
前記固定筒の外周面を凹ませることで音響空間が形成され、
前記スピーカは、前記音響空間を覆うように配置され、
前記外装部には、前記音響空間と繋がる開口部が形成され、
前記固定筒において、前記音響空間の底面部は、前記カム溝の底面部よりも前記レンズの光軸の近くに位置していることを特徴とする撮像装置。
【請求項２】
前記カム溝には、前記可動筒を前記レンズの光軸方向に駆動させない第１の領域と、前記可動筒を前記レンズの光軸方向に駆動させる第２の領域が形成され、
前記音響空間は、前記第１の領域の裏面に形成されていることを特徴とする請求項１に記載の撮像装置。
【請求項３】
前記スピーカの前面は、前記レンズの光軸を向いて配置されていることを特徴とする請求項１また２に記載の撮像装置。
【請求項４】
前記開口部は、前記外装部における前記固定筒の取り付け面に形成されていることを特徴とする請求項１から３のいずれか１項に記載の撮像装置。
【請求項５】
電池を取り付けるための電池装着部を更に有し、
前記スピーカは、前記電池装着部と前記固定筒との間の空間に配置されていることを特徴とする請求項１から４のいずれか１項に記載の撮像装置。
【発明の詳細な説明】
【技術分野】
【０００１】
本発明は、スピーカを搭載する撮像装置に関する発明である。
【背景技術】
【０００２】
従来、撮像装置の多くにおいて、シャッター音や、ボタン操作音、動画撮影機能を用いて撮影した動画を再生する際の音声等を出力するスピーカは、撮像装置の背面側に配置され、撮影者側に向けて音を発する構造となっていた。
【０００３】
近年、撮像装置にタッチパネルが搭載された製品が登場してきている。タッチパネルでの操作は従来の物理ボタンによる操作に比べＧＵＩ（Ｇｒａｐｈｉｃａｌ  Ｕｓｅｒ  Ｉｎｔｅｒｆａｃｅ）に優れており、画面を見ながら直感的な操作を行うことが可能でソフトウェア次第で多彩な操作性を実現できる。そして、タッチパネルの搭載により、撮像装置に搭載される物理ボタンの数は減り、撮像装置の背面部にはタッチパネルのみが配置される構成となってきている。そのため、従来のようにスピーカを撮像装置の背面側に配置し、撮影者側に向けて音を発する構造とすることは困難となっている。
【０００４】
また同時に、撮像装置は携帯性を向上させるため、常に製品の小型化が求められている。そのため、スピーカの配置をより効率的に行わなければ、より一層の製品の小型化を進めることができなくなっている。
【０００５】
スピーカを効率的に撮像装置へ配置するための技術として、特許文献１では、鏡筒ユニット、ストロボ及び光学ファインダで構成される空間にスピーカを配置する提案がされている。
【先行技術文献】
【特許文献】
【０００６】
【特許文献１】特開２００５−３１１８４４号公報
【発明の概要】
【発明が解決しようとする課題】
【０００７】
しかしながら、特許文献１にて開示された従来技術では、ストロボと光学ファインダで構成される空間が必要とされており、撮像装置の本体が小型化し余分なスペースを望めない状態では、更なる撮像装置の小型化を実現することができない。
【０００８】
そこで、本発明は、ストロボや光学ファインダの有無に関係なく、スピーカを効率的に配置することができる撮像装置を提供することを目的とする。
【課題を解決するための手段】
【０００９】
上記目的を達成するための本発明の一側面としての撮像装置は、スピーカと、レンズを備えた可動筒と、前記可動筒に設けられたカムピンと係合し前記可動筒を駆動するカム溝が内周面に形成された固定筒と、前記固定筒が取り付け可能な外装部と、を有し、前記固定筒の外周面を凹ませることで音響空間が形成され、前記スピーカは、前記音響空間を覆うように配置され、前記外装部には、前記音響空間と繋がる開口部が形成され、前記固定筒において、前記音響空間の底面部は、前記カム溝の底面部よりも前記レンズの光軸の近くに位置していることを特徴とする。
【発明の効果】
【００１０】
本発明によれば、ストロボや光学ファインダの有無に関係なく、スピーカを効率的に配置することができる撮像装置を提供することができる。
【図面の簡単な説明】
【００１１】
【図１】本発明の撮像装置の実施形態の一例であるデジタルカメラの正面側から見た斜視図である。
【図２】デジタルカメラの背面側から見た斜視図である。
【図３】（ａ）はデジタルカメラの外装カバーを取り除いた状態の正面図、（ｂ）はデジタルカメラの外装カバーを取り除いた状態の下面図、（ｃ）は（ｂ）で示す状態からスピーカを取り外した状態の図である。
【図４】図３（ａ）で示す断面Ａ−Ａにて切断した断面図である。
【図５】（ａ）はデジタルカメラの固定筒の外観図、（ｂ）はデジタルカメラの固定筒の内周面の展開図の模式図である。
【発明を実施するための形態】
【００１２】
以下に、本発明の好ましい実施の形態を、添付の図面に基づいて詳細に説明する。
【００１３】
図１は、本発明の撮像装置の実施形態の一例であるデジタルカメラの正面側から見た斜視図である。１は、本発明の実施例であるデジタルカメラである。２はレンズ鏡筒ユニット、３は外装開口部、４は撮影時に光量が足りないときに必要に応じて発光するストロボ発光窓であり、それぞれデジタルカメラ１の前面部に配置されている。５はレリーズボタン、６はズームレバーであり、それぞれデジタルカメラ１の上面部に配置されている。
【００１４】
ズームレバー６を操作して適切な画角を決め、レリーズボタン５の操作によって撮影動作を開始すると、被写体像はレンズ鏡筒ユニット２を通じて、不図示の撮像素子に取り込まれる。取り込まれた被写体像は、不図示の演算素子によって画像データに処理された後、不図示の記録メディアに書き込まれる。また、デジタルカメラ１内のスピーカから発せられた音は、後述する開口部とほぼ同位置に配置された外装開口部３より発せられる。
【００１５】
図２は、デジタルカメラ１の背面側から見た斜視図である。７はタッチパネルであり、ユーザーがタッチパネル７を押下すると、タッチパネル７の直下にある不図示の液晶表示素子に表示された内容の動作が行われ、動作の内容に応じて外装開口部３から音が発せられる。
【００１６】
図３（ａ）は、それぞれデジタルカメラ１の外装カバー（外装部）を取り除いた状態の正面図である。２０は固定筒、３０は可動筒であり、レンズ鏡筒ユニット２を構成している。４０はスピーカであり、５０は電池装着部である。スピーカ４０は、レンズ鏡筒ユニット２と電池装着部５０との間の空間に配置されている。図３（ｂ）は、図３（ａ）で示す状態から電池装着部５０およびストロボユニットを取り外した状態の斜視図である。図３（ｃ）は、図３（ｂ）で示す状態からスピーカを取り外した状態の図である。２２は固定筒の外周面に形成された音響空間、２３は音響空間２２と繋がっている開口部であり、スピーカ４０の前面は音響空間２２を覆うように配置されている。スピーカ４０から発せられた音は、音響空間２２を反響空間として利用し、開口部２３を通り、前述したように開口部２３とほぼ同位置に配置された外装開口部３より撮影者側に向けて発せられる。
【００１７】
図４は、図３（ａ）で示す断面Ａ−Ａにて切断した断面図である。固定筒２０の内側には、可動筒３０を駆動するためのカム溝２１が形成され、可動筒３０の外側には不図示のカムピンが備えられている。カムピンはカム溝２１と係合し、カムトレースすることで可動筒３０が駆動される。また、可動筒３０には、少なくとも１つのレンズ３１が備えられている。スピーカ４０は、スピーカ４０の前面部を音響空間２２に向けて配置する。スピーカ４０の前面部の周囲と固定筒２０との間には弾性材料で形成されるスピーカパッキン２４が配置される。スピーカ４０の背面部を電池装着部５０によってレンズ３１の光軸に向かう方向に押されることで、スピーカパッキン２４が押し潰され、スピーカ４０の前面部と音響空間２２との間は密閉される。
【００１８】
図中において、固定筒２０と点線Ｂで囲まれた領域は、固定筒２０に凹部が形成されるように固定筒２０を中ぐり加工した領域である。中ぐり加工することで余分なスペースを割かずに音響空間２２を増加させることができる。このとき、音響空間２２の底面部２２ａは、カム溝２１の底面部２１ａよりもレンズ３１の光軸Ｌの近くに位置している。したがって、固定筒２０と点線Ｂで囲まれた領域の容積分だけ、スピーカ４０を固定筒２０に近づけて配置することができる。これによって、デジタルカメラ１の正面投影面積を減少させ、デジタルカメラ１をより小型化することができる。
【００１９】
本実施形態では、カム溝２１が固定筒２０の最も光軸前方にて、カムリフトがゼロになる領域の裏面に音響空間２２が形成されるので、カム溝２１の底面部２１ａと音響空間２２の底面部２２ａは、固定筒２０の厚み方向（光軸直交方向）で重ならない。これによって、音響空間２２の底面部２２ａをカム溝２１の底面部２１ａよりレンズ３１の光軸Ｌに近づけることができる。カム溝２１の底面部２１ａと音響空間２２の底面部２２ａとを、固定筒２０の厚み方向（光軸直交方向）で重なるように配置すると、カム溝２１を形成することで音響空間２２に穴が開いてしまい、音響空間として機能しない。
【００２０】
上述した構成を図５を用いて説明する。図５（ａ）はデジタルカメラ１の固定筒２０の外観図、図５（ｂ）はデジタルカメラ１の固定筒２０の内周面の展開図の模式図である。図中の（１）で示した領域（第１の領域）では、不図示のモータによる回転運動が可動筒３０に伝わってもレンズ鏡筒ユニット２に設けられたレンズ３１を保護する不図示のレンズバリアを開閉するだけである。すなわち、可動筒３０は光軸の周方向のみに駆動するだけで光軸方向には移動しない。このとき、（１）で示した領域はカム全長の中でも大きな割合を占めており、カム溝２１のカムリフトがゼロであるので、固定筒２０に広い範囲で音響空間２２を設けることができる。そのため、大口径のスピーカを小さな正面投影面積で配置し、大きな音響空間を確保しデジタルカメラ１から大きな音を出すことが可能となる。一方、図中の（２）で示した領域（第２の領域）においては、モータによる回転運動が可動筒３０に伝わると、可動筒３０は光軸を中心に回転を行い、カム溝２１の軌跡に併せて可動筒３０は光軸に対して進退する。この進退運動により、不図示の撮像素子とレンズ３１との光軸方向に対する距離が変化し、撮影画角を変化させることができる。また、（２）で示した領域は固定筒２０をカム溝２１が斜めに横切っているため、音響空間２２をカム溝２１と貫通せずに加工しても固定筒２０に広い範囲で音響空間２２を設けるのは難しい。スピーカは大口径のものの方が良い音を出すことが知られているので（１）で示した領域のほうが（２）で示した領域より音響空間２２を形成するのに向いている。
【００２１】
以上、本発明の好ましい実施形態について説明したが、本発明はこれらの実施形態に限定されず、その要旨の範囲内で種々の変形及び変更が可能である。
【符号の説明】
【００２２】
６    外装開口部
２０  固定筒
２１  カム溝
２２  音響空間
３０  可動筒
４０  スピーカ
【図１】
0005787747.tif 000002
【図２】
0005787747.tif 000003
【図３】
0005787747.tif 000004
【図４】
0005787747.tif 000005
【図５】
0005787747.tif 000006